(57)【特許請求の範囲】
【請求項１】
隣接配置された支柱間に架渡される水平材と、
上端が前記水平材の長手方向の両側にそれぞれ回動自在に取り付けられ、下端に前記支柱に係止する係止手段が取り付けられた２本の斜材と、を備え、
前記水平材の両端には、前記支柱に形成されたポケットに挿し込まれるフック部が形成され、
前記フック部を中心とする片側にのみ、前記フック部より下方に突出するガイド部が形成され、
前記ガイド部は、前記水平材の両端で前後方向の異なる側に形成され、
前記斜材は、前記水平材の両端で前記ガイド部と前後方向の同じ側に取り付けられている先行手すり。
【請求項２】
前記ガイド部は、水平材の長手方向内側へ屈曲するように形成された請求項１に記載の先行手すり。
【請求項３】
前記ガイド部は、前記フック部側の先端側面が、前記フック部から離間するように形成されている請求項１または２に記載の先行手すり。
【請求項４】
請求項１〜３に記載の先行手すりを備えた仮設足場。
【発明の詳細な説明】
【技術分野】
【０００１】
本発明は、仮設足場を構築する先行手すりおよびその先行手すりが採用された仮設足場に関する。
【背景技術】
【０００２】
従来、隣接配置された支柱間に架渡される水平部材と、前記水平部材の長手方向両端に取り付けられた斜材とを備え、前記水平部材に、前記支柱に形成されたポケットに挿し込む挿入部分と、該挿入部分を両側から挟むように配置された案内部分とを有する仮設部材が知られている（特許文献１参照）。
【先行技術文献】
【特許文献】
【０００３】
【特許文献１】特開２００６−１６９８８３
【発明の概要】
【発明が解決しようとする課題】
【０００４】
しかしながら、この仮設部材は、挿入部分に対して両側から挟むように案内部分が配置されているため、斜材を水平部材に沿わすように仮設部材を折り畳むと、一方の案内部分と斜材との前後位置が同じになるため、案内部分が斜材と干渉し、仮設部材を平行になるようにコンパクトに折り畳むことができなかった。
【０００５】
また仮設部材を支柱に設置する際には、この仮設部材は、挿入部分に対して両側から挟むように案内部分が配置されているため、支柱のポケットの側面側から挿入部分をポケットに挿し込めないから、挿入部分と案内部分とがポケットよりも上方にくるように、この挿入部分と案内部分とを完全に持ち上げ、さらに挿入部分がポケットの真上にくるように移動さてから挿入部分をポケットに挿し込む必要があり、仮設部材を設置しにくかった。
【０００６】
本発明は、上述した事情に鑑みてなされたものであり、その目的は、搬送性および収納性を向上させながら、容易に設置可能な先行手すりを提供することにある。
【課題を解決するための手段】
【０００７】
［１］隣接配置された支柱間に架渡される水平材と、上端が前記水平材の長手方向の両側に回動自在に取り付けられ、下端に前記支柱に係止する係止手段が取り付けられた斜材と、を備え、前記水平材の両端には、前記支柱に形成されたポケットに挿し込まれるフック部が形成され、前記フック部を中心とする片側には、前記フック部より下方に突出するガイド部が形成された先行手すり。
【０００８】
［２］前記ガイド部は、水平材の長手方向内側へ屈曲するように形成された前項１に記載の先行手すり。
【０００９】
［３］前記ガイド部は、前記フック部側の先端側面が、前記フック部から離間するように形成されている前項１または２に記載の先行手すり。
【００１０】
［４］前記ガイド部は、前記水平材の両端で前後方向の異なる側に形成され、前記斜材は、前記水平材の両端で前記ガイド部と前後方向の同じ側に取り付けられている前項１〜３に記載の先行手すり。
【００１１】
［５］前項１〜４に記載の先行手すりを備えた仮設足場。
【発明の効果】
【００１２】
前項［１］の発明によると、水平材の両端には、ポケットに挿し込まれるフック部を形成し、フック部を中心とする片側のみには、フック部より下方に突出するガイド部を形成したため、フック部を中心とするガイド部が形成された側とは反対側にはガイド部がなく、水平材に沿うように斜材を移動させた際に、ガイド部が形成されていない側に、斜材を位置させることでガイド部を斜材の前後位置を異ならせて、斜材とフック部との干渉を避けることができ、これにより、先行手すりを略平行になるようにコンパクトに折り畳むことができる。
【００１３】
さらに、フック部を中心とする片側には、フック部より下方に突出するガイド部を形成したため、ガイド部をポケットの側面に押し当てながら水平材を下方に移動させることにより、フック部が、ガイド部に案内されながらポケット内に挿し込まれるので、フック部とガイド部とがポケットより上方にくるように持ち上げてからピンポイントにガイド部をポケット内に挿し込む必要がなく、先行手すりを容易に設置することができる。
【００１４】
前項［２］の発明によると、ガイド部を、水平材の長手方向内側へ屈曲するように形成したため、作業員は、作業員よりも高い位置にある支柱のポケット対して、水平材を斜め上方に傾けて作業するので、このときに傾いた水平材のガイド部の先端が略鉛直方向に向くため、ガイド部をポケットの側面に沿わせながらフック部をポケットに案内することが容易になる。
【００１５】
前項［３］の発明によると、ガイド部を、フック部側の先端側面が前記フック部から離間するように形成したため、ガイド部の先端とフック部の先端の間隔が奥行き方向に広がることにより、ガイド部とフック部との間にポケットの側壁が入り込みやすくなるため、ガイド部の先端がポケットの側面に当接させやすくなり、さらにフック部をポケット内に案内しやすくなり、容易にフック部をポケットに挿し込むことができる。
【００１６】
前項［４］の発明によると、ガイド部を水平材の両端で前後方向の異なる側に形成し、斜材を水平材の両端でガイド部と前後方向の同じ側に取り付けたため、先行手すりを折り畳んだ際に、折り畳んだ斜材の下端の先にガイド部が存在しないため、斜材がガイド部に衝突することがなく、さらに２本の斜材の前後位置が異なるため、２本の斜材同士も衝突することがなく、ひいてはより確実に先行手すりを略平行になるようにコンパクトに折り畳むことができる。
【００１７】
前項［５］の発明によると、仮設足場には、前項１〜４に記載の先行手すりを備えたため、この仮設足場について上述した先行手すりの発明の効果を奏することができる。
【図面の簡単な説明】
【００１８】
【図１】図１は、本発明の一実施形態にかかる先行手すりを示す正面図である。
【図２】図２は、本発明の一実施形態にかかる先行手すりを示すものであり、（Ａ）は平面拡大図、（Ｂ）は左側面拡大図、（Ｃ）は正面拡大図である。
【図３】図３は、本発明の一実施形態にかかる水平材を示すものであり、（Ａ）は左側面図、（Ｂ）は正面図である。
【図４】図４は、本発明の一実施形態にかかる斜材を示すものであり、（Ａ）は平面図、（Ｂ）は正面図である。
【図５】図５は、本発明の一実施形態にかかる先行手すりの設置方法を説明するものであり、（Ａ）は一方のフック部を挿し込む手順を説明する説明図、（Ｂ）は残りの他方のフック部をポケットに挿し込む手順を説明する説明図である。
【図６】図６は、本発明の一実施形態にかかる先行手すりの折り畳み状態を示すものであり、（Ａ）は平面図、（Ｂ）は正面図である。
【図７】図７は、本発明の一実施形態にかかる先行手すりを部分的に拡大したものであり、（Ａ）折り畳み前を示す拡大斜視図、（Ｂ）折り畳み後を示す拡大斜視図である。
【図８】図８は、本発明の一実施形態にかかる先行手すりの折り畳み状態を示す左側面図である。
【図９】図９は、本発明の一実施形態にかかる先行手すりを折り畳み状態にして複数並べた概略斜視図である。
【図１０】図１０は、本発明の一実施形態にかかる先行手すりを折り畳み状態にして複数並べた概略図であり、（Ａ）は平面図、（Ｂ）はＸ−Ｘ矢視図である。
【発明を実施するための形態】
【００１９】
次に、本発明の一実施形態について、図１〜図１０を参照して説明する。
【００２０】
図１は、本発明の一実施形態にかかる先行手すりを示す正面図である。図２は、本発明の一実施形態にかかる先行手すりを示すものであり、（Ａ）は平面拡大図、（Ｂ）は左側面拡大図、（Ｃ）は正面拡大図である。図３は、本発明の一実施形態にかかる水平材を示すものであり、（Ａ）は左側面図、（Ｂ）は正面図である。図４は、本発明の一実施形態にかかる斜材を示すものであり、（Ａ）は平面図、（Ｂ）は正面図である。図５は、本発明の一実施形態にかかる先行手すりの設置方法を説明するものであり、（Ａ）は一方のフック部を挿し込む手順を説明する説明図、（Ｂ）は残りの他方のフック部をポケットに挿し込む手順を説明する説明図である。図６は、本発明の一実施形態にかかる先行手すりの折り畳み状態を示すものであり、（Ａ）は平面図、（Ｂ）は正面図である。図７は、本発明の一実施形態にかかる先行手すりを部分的に拡大したものであり、（Ａ）折り畳み前を示す拡大斜視図、（Ｂ）折り畳み後を示す拡大斜視図である。図８は、本発明の一実施形態にかかる先行手すりの折り畳み状態を示す左側面図である。図９は、本発明の一実施形態にかかる先行手すりを折り畳み状態にして複数並べた概略斜視図である。図１０は、本発明の一実施形態にかかる先行手すりを折り畳み状態にして複数並べた概略図であり、（Ａ）は平面図、（Ｂ）はＸ−Ｘ矢視図である。
【００２１】
図１〜図４に示すように、本発明の一実施形態にかかる仮設足場Ｔは、隣接配置された支柱７と、該支柱７間に設置された先行手すり１とから構成されている。この支柱７には、鉛直方向（高さ方向）に開口し、下方に向かうほど開口の幅が狭くなるポケット７１が形成されている。先行手すり１は、水平材１０と２本の斜材２０とで構成されている。
【００２２】
水平材１０は、所定の長さを有する棒状に形成されている。水平材１０の両端周面の下面には、下方へ垂れ下がるように形成されたフック本体１１が溶接により固定されている。例えば図５の（Ｂ）に示すように、このフック本体１１には、下方に突出したフック部１２が、水平材１０の長手方向外側に形成されている。水平材１０におけるフック本体１１には、後述する斜材２０の取り付け用の孔部１３が形成されている。
【００２３】
水平材１０の両先端縁には、平板状のガイド本体１５が溶接固定されている。このガイド部１６は、水平材１０の両端で前後方向の異なる側に形成されている。すなわち、図３の（Ｂ）に示す正面図において、水平材１０の長手方向左側に係止されたガイド部１６は、フック部１２よりも後方に形成され、水平材１０の長手方向右側に係止されたガイド部１６は、フック部１２よりも前方に形成されている。
【００２４】
また、このガイド部１６は、フック部１２側の先端側面が、フック部１２から離間するように形成されている。すなわち、例えば図３の（Ａ）に示す左側面視において、ガイド部１６は、フック部１２側の先端部が、上方から下方に向かって狭幅になるように形成されている。また、例えば図３の（Ｂ）に示すように、このガイド部１６は、水平材１０の長手方向内側へ屈曲するように折り曲げ形成されている。
【００２５】
ガイド本体１５は、このガイド本体１５の離間する方向に出っ張り、反対側のガイド本体１５のガイド部１６よりも出っ張る当接部１７が形成されている。すなわち、例えば図３の（Ａ）に示す左側面視において、手前側の固定されたガイド本体１５は、このガイド本体１５の反対側（奥側）に固定されたガイド本体１５に形成されたガイド部１６よりも出っ張るように形成されている。これに対して奥側の固定されたガイド本体１５は、このガイド本体１５の反対側（手前）に固定されたガイド本体１５に形成されたガイド部１６よりも出っ張るように形成されている。
【００２６】
斜材２０は、所定の長さを有する棒状に形成され、その各先端近傍が先端に向かって厚さが薄くなるように形成されており、その先端には、平たく延ばされた板状の薄板部２１が形成されている。この薄板部２１は、斜材２０の中心軸に対して外周側（中心軸から離れる方向）に形成されている。この各薄板部２１には孔部２２が形成されている。
【００２７】
２本の斜材２０は、ガイド部１６と前後方向の同じ側になるように、水平材１０の長手方向の両端にそれぞれ取り付けられる。すなわち、この各斜材２０は、例えば図６の（Ａ）に示す平面視において、ガイド部１６が存する側のフック本体１１の側面に、薄板部２１の側面が当接され、その薄板部２１の孔部２２とフック本体１１の孔部１３とにヒンジピン４１を挿入して回動自在に固定されている。
【００２８】
各斜材２０の下端に形成された薄板部２１には、支柱７のポケット７１に係止する係止手段３０が溶接により固定されている。この係止手段３０は、本実施形態では公知のクサビを採用している。
【００２９】
次に、先行手すり１の設置方法および収納方法について説明する。
【００３０】
図５の（Ａ）に示すように、所定の間隔をあけて配置された支柱７間に水平材１０を架け渡すため、作業員は、２本ある斜材２０をそれぞれ片手で持ち、水平材１０が斜め上方に傾くように先行手すり１を持ち上げる。そして、フック部１２を一方の支柱７のポケット７１に挿し込むため、作業員は、水平材１０のフック部１２を支柱７のポケット７１の側面に、フック部１２を押し当てながら水平材１０を上方に持ち上げ、フック部１２の先端がポケット７１より上方に位置したところで、フック部１２を押し当てている方向に力が加わるため、フック部１２よりも下方に突出するガイド部１６の先端が、ポケット７１の側面に当接する。そして、先端が略鉛直方向に向いているガイド部１６をポケット７１の側面に押し当てながら、水平材１０を下方に移動させることにより、フック部１２が、ガイド部１６に案内されながらポケット７１内に挿し込まれる。
【００３１】
次に、図５の（Ｂ）に示すように、既に挿し込んだフック部１２とは反対側のフック部１２を、他方の支柱７のポケット７１に挿し込むため、作業員は、既に挿し込まれたフック部１２の他方側に取り付けられた斜材２０（まだ挿し込まれていないフック部１２側の斜材２０）を操作して、水平材１０を持ち上げ、一方の支柱７と同様に、逆側のフック部１２も他方の支柱７のポケット７１に挿し込んで、水平材１０を隣接する支柱７間に架け渡す。
【００３２】
最後に、各斜材２０を支柱７に固定するため、作業員は、交差するように各斜材２０を斜めに移動させ、各斜材２０の各係止手段３０を支柱７のポケット７１に係止して、斜材２０を支柱７に固定する。以上のようにして先行手すり１を支柱７に設置する。
【００３３】
また、図６〜図８に示すように、先行手すり１の収納する際は、作業員は、各斜材２０を水平材１０に沿うように移動させることで、先行手すり１をコンパクトに折り畳むことができる。
【００３４】
さらに、図９、図１０に示すように、作業員は、折り畳んだ状態にある複数の先行手すり１を、同一平面上に隣接配置し、当接部１７の内面１７ａ側に、隣接する他の先行手すり１のガイド部１６が位置するように先行手すり１を移動させ、当接部１７の内面１７ａとガイド本体１５の外面１５ａとが当接するように配置させる。このようにして作業員は、複数の先行手すり１を整列させる。
【００３５】
本発明の一実施形態にかかる先行手すり１は、次の利点がある。
【００３６】
上記一実施形態の構成によると、水平材１０の両先端縁には、平板状のガイド本体１５が溶接固定されている。このガイド部は、水平材１０の両端で前後方向の異なる側に形成されている。すなわち、図３の（Ｂ）に示す正面図において、水平材１０の長手方向左側に係止されたガイド部１６は、フック部１２よりも後方に形成され、水平材１０の長手方向右側に係止されたガイド部１６は、フック部１２よりも前方に形成されている。このため、フック部１２を中心とするガイド部１６が形成された側とは反対側にはガイド部１６がなく、水平材１０に沿うように斜材２０を移動させた際に、ガイド部１６が形成されていない側に、斜材２０を位置させることでガイド部１６を斜材２０の前後位置を異ならせて、斜材２０とフック部１２との干渉を避けることができ、これにより、確実に先行手すり１を略平行になるようにコンパクトに折り畳むことができる。さらに、ガイド部１６をポケット７１の側面に押し当てながら水平材１０を下方に移動させることにより、フック部１２が、ガイド部１６に案内されながらポケット７１内に挿し込まれるので、フック部１２とガイド部１６とがポケット７１より上方にくるように持ち上げてからピンポイントにガイド部１６をポケット内に挿し込む必要がなく、先行手すり１をよりいっそう容易に設置することができる。
【００３７】
上記一実施形態の構成によると、ガイド部１６は、水平材１０の長手方向内側へ屈曲するように折り曲げ形成されている。このため、先行手すり１を設置する際に、作業員は、作業員よりも高い位置にある支柱７のポケット７１対して、水平材１０を斜め上方に傾けて作業するので、このときに傾いた水平材１０のガイド部１６の先端が鉛直方向に向くため、ガイド部１６をポケット７１の側面に沿わせながらフック部１２をポケット７１に案内することがよりいっそう容易になる。
【００３８】
上記一実施形態の構成によると、ガイド部１６は、フック部１２側の先端側面が、フック部１２から離間するように形成されている。すなわち、例えば図３の（Ａ）に示す左側面視において、ガイド部１６は、フック部１２側の先端部が、上方から下方に向かって狭幅になるように形成されている。このため、ガイド部１６の先端とフック部１２の先端の間隔が奥行き方向に広がることにより、ガイド部１６とフック部１２との間にポケット７１の側壁が入り込みやすくなるため、ガイド部１６の先端がポケット７１の側面に当接させやすくなり、さらにフック部１２をポケット７１内に案内しやすくなり、よりいっそう容易にフック部１２をポケット７１に挿し込むことができる。
【００３９】
上記一実施形態の構成によると、ガイド本体１５は、このガイド本体１５の離間する方向に出っ張り、反対側のガイド本体１５のガイド部１６よりも出っ張る当接部１７が形成されている。このため、作業員が、折り畳んだ状態にある複数の先行手すり１を、同一平面上に隣接配置し、当接部１７の内面１７ａ側に、隣接する他の先行手すり１のガイド部１６が位置するように先行手すり１を移動させ、当接部１７の内面１７ａとガイド本体１５の外面１５ａとが当接するように配置させて複数の先行手すり１を整列させることにより、当接部１７の内面１７ａとガイド本体１５の外面１５ａとが当接するので、各先行手すり１の長手方向の動きに対してずれを抑制することができる。
【００４０】
上記一実施形態の構成によると、各斜材２０は、例えば図６の（Ａ）に示す平面視において、ガイド部１６が存する側のフック本体１１の側面に、薄板部２１の側面が当接され、その薄板部２１の孔部２２とフック本体１１の孔部１３とにヒンジピン４１を挿入して回動自在に固定されている。このため、ガイド部１６が水平材１０の両端で前後方向の異なる側に形成されるため、このガイド部１６の存する側に斜材２０を取り付けたから、ガイド部１６が２本の斜材２０を確実に異なる側に位置させることができる。
【００４１】
以上、本発明を一実施形態に基づいて説明してきたが、本発明は、これに限定されるものではなく、その発明の範囲で適宜変更可能であり、例えば以下のように構成しても良い。
【００４２】
（１）上記一実施形態では、斜材２０は、薄板部２１の孔部２２とフック本体１１の孔部１３とにヒンジピン４１を挿入して回動自在に固定されているとしたが、本発明は、これに限定されるものではなく、斜材２０をフック部１２が形成される部材以外に取り付けても良い。
【００４３】
（２）上記一実施形態では、図３の（Ｂ）に示す正面図において、水平材１０の長手方向左側に係止されたガイド部１６は、フック部１２よりも後方に形成され、水平材１０の長手方向右側に係止されたガイド部１６は、フック部１２よりも前方に形成されているとしたが、本発明は、これに限定されるものではなく、例えば、図３の（Ｂ）に示す正面図において、水平材１０の長手方向左側に係止されたガイド部１６は、フック部１２よりも前方に形成され、水平材１０の長手方向右側に係止されたガイド部１６は、フック部１２よりも後方に形成されていても良く、フック部１２を中心として片側にのみにガイド部１６が形成されていれば良い。
【００４４】
（３）上記一実施形態では、例えば図３の（Ｂ）に示すように、このガイド部１６は、水平材１０の長手方向内側へ屈曲するように折り曲げ形成されているとしたが、本発明は、これに限定されるものではなく、必ずしもガイド部１６を屈曲するように折り曲げ形成する必要はない。
【００４５】
（４）上記一実施形態では、ガイド部１６は、フック部１２側の先端側面が、フック部１２から離間するように形成されているとしたが、必ずしもガイド部１６は、フック部１２側の先端側面が、フック部１２から離間するように形成しなくとも良い。
【００４６】
（５）上記一実施形態では、例えば図３の（Ａ）に示す左側面視において、ガイド部１６は、フック部１２側の先端部が、上方から下方に向かって狭幅になるように形成されているとしたが、本発明は、これに限定されるものではなく、例えば、フック部１２側の先端部が、同幅になるように形成しても良い。
【００４７】
（６）上記一実施形態では、ガイド本体１５は、このガイド本体１５の離間する方向に出っ張り、反対側のガイド本体１５のガイド部１６よりも出っ張る当接部１７が形成されているが、本発明は、これに限定されるものではなく、必ずしもこのような当接部１７を形成する必要はなく、当接部１７のないガイド本体１５として構成しても良い。
【００４８】
（７）上記一実施形態では、各斜材２０は、例えば図６の（Ａ）に示す平面視において、ガイド部１６が存する側のフック本体１１の側面に、薄板部２１の側面が当接され、その薄板部２１の孔部２２とフック本体１１の孔部１３とにヒンジピン４１を挿入して回動自在に固定されているとしたが、本発明は、これに限定されるものではなく、必ずしもこのような薄板部２１を形成する必要はなく、各斜材２０と水平材１０が回動自在に取り付けられる構成であれば良い。
【００４９】
（８）上記一実施形態では、ヒンジピン４１により回転自在に固定されているとしたが、本発明は、これに限定されるものではなく、例えば薄板部２１の孔部２２とフック本体１１の孔部１３とにボルトを挿入しナットで締め付けて回動自在に取り付けても良い。
【００５０】
（９）上記一実施形態では、係止手段３０にクサビを採用したが、本発明は、これに限定されるものではなく、例えば、公知のピンタイプ、その他の公知の係止手段を採用することができる。
【符号の説明】
【００５１】
Ｔ      仮設足場
１      先行手すり
１０    水平材
１２    フック部
１６    ガイド部
２０    斜材
３０    係止手段
７      支柱
７１    ポケット
【図１】
0005592227.tif 000002
【図２】
0005592227.tif 000003
【図３】
0005592227.tif 000004
【図４】
0005592227.tif 000005
【図５】
0005592227.tif 000006
【図６】
0005592227.tif 000007
【図７】
0005592227.tif 000008
【図８】
0005592227.tif 000009
【図９】
0005592227.tif 000010
【図１０】
0005592227.tif 000011